(57)【要約】【課題】チャタリングが生じやすい従来では低開度に相当した弁体の移動距離（リフト）までは、閉弁状態を保持し、弁体がチャタリングを生じ得ない弁座との離間距離を超えた時に開弁する様に構成した弁体構造を提供する。【解決手段】一次側流路５と二次側流路６とに連通する弁口８の一方の開口端に設けた弁座９に着離自在に設けた弁体10であって、該弁体10には、これの弁座９との着座位置から所定距離Ｌ離隔した位置Ｙまでの間は、弁口内壁8aを摺接しながら往復動自在に弁口８に挿入されて閉弁状態を保持し、前記離隔位置Ｙを超えると弁口８より離脱して開弁する滑り弁部10ｂを設ける。【選択図】図３
2010169132.tif 000002
【特許請求の範囲】
【請求項１】
一次側流路と二次側流路とに連通する弁口の一方の開口端に設けた弁座に着離自在に設けた弁体であって、該弁体には、これの弁座との着座位置から所定距離離隔した位置までの間は、弁口内壁を摺接しながら往復動自在に弁口に挿入されて閉弁状態を保持し、前記離隔位置を超えると弁口より離脱して開弁する滑り弁部を設けたことを特徴とする弁体構造。
【請求項２】
滑り弁部には、弁口に連通する様に周方向に複数連設した流体挿通口を介して常に弁口内壁を摺接して弁体を案内する支持リングを設けたことを特徴とする請求項１記載の弁体構造。
【発明の詳細な説明】
【技術分野】
【０００１】
本発明は、弁体が閉弁間近の低開度で弁座を繰り返したたいて騒音を発生する現象、所謂チャタリングを防止する様にした弁体構造に関する。
【背景技術】
【０００２】
特許文献１に開示されたパイロット式減圧弁は、調節バネと二次側圧力とのバランスによりパイロット弁を通過する圧力流体が調整され、該圧力流体によって変位するダイヤフラムと、該ダイヤフラムに弁棒を介して連繋された弁体を閉弁方向へ付勢した弁バネとのバランスによって弁体の開度を調整する様にして二次側を所定の減圧状態に保持するものである。
上記減圧弁内において、一次側流路と二次側流路が連通する様に設けた弁口の一次側の開口端には、テーパー穴状の弁座を設け、該弁座に着離する弁体は、弁座との着座部をテーパー状に形成したプラグ形に形成されている。
したがって、弁体が閉弁間近の低開度では、弁体における着座部と弁座との間隔が微小で、ここで流体通路が極端に絞られるため、弁体が細かい開閉弁動作（チャタリング）を誘発し易い。
【先行技術文献】
【特許文献】
【０００３】
【特許文献１】特開平１１−１１００５１号公報
【発明の概要】
【発明が解決しようとする課題】
【０００４】
チャタリングは、上記の様な減圧弁のほかにリリーフ弁や逆止弁等にも発生し、いずれも、弁体が閉弁間近の低開度で生ずる。
そこで、本発明では、チャタリングが生じやすい従来では低開度に相当した弁体の移動距離（リフト）までは、閉弁状態を保持し、弁体がチャタリングを生じ得ない弁座との離間距離を超えた時に開弁する様に構成した弁体構造を提供することを目的としている。
【課題を解決するための手段】
【０００５】
上記課題に鑑み、本発明の弁体構造は、一次側流路と二次側流路とに連通する弁口の一方の開口端に設けた弁座に着離自在に設けた弁体であって、該弁体には、これの弁座との着座位置から所定距離離隔した位置までの間は、弁口内壁を摺接しながら往復動自在に弁口に挿入されて閉弁状態を保持し、前記離隔位置を超えると弁口より離脱して開弁する滑り弁部を設けたことを特徴とする。
又、滑り弁部には、弁口に連通する様に周方向に複数連設した流体挿通口を介して常に弁口内壁を摺接して弁体を案内する支持リングを設けても良い。
【発明の効果】
【０００６】
要するに本発明に係る弁体には、これの弁座との着座位置から所定距離離隔した位置までの間は、弁口内壁を摺接しながら往復動自在に弁口に挿入されて閉弁状態を保持し、前記離隔位置を超えると弁口より離脱して開弁する滑り弁部を設けることにより、開弁初期時又は閉弁間際では、弁体における弁座との着座部と、弁座との間隔を従来に比し広げられ、弁体の着座部が弁座に激しく接触を繰り返せるほどに弁座との距離が近接していないので、チャタリングを生ずることがない。
【０００７】
滑り弁部には、弁口に連通する様に周方向に複数連設した流体挿通口を介して常に弁口内壁を摺接して弁体を案内する支持リングを設けたので、該支持リングによって弁体が開弁しても振動等により横触れすることがなく、常に弁体の開閉弁動作を安定的に支持できる等その実用的効果甚だ大である。
【図面の簡単な説明】
【０００８】
【図１】本発明に係る弁体構造を装備したパイロット式減圧弁の縦断面図である。
【図２】閉弁時の要部拡大断面図である。
【図３】開弁初期時又は閉弁間際の要部拡大断面図である。
【図４】全開時の要部拡大断面図である。
【発明を実施するための形態】
【０００９】
以下本発明の実施の一形態例を図面に基づいて説明する。
図１は、本発明に係る弁体構造を装備したパイロット式減圧弁の縦断面図を示している。
この減圧弁１の弁箱２は、左右側方に圧力流体の入口３及び出口４を開設すると共に、内部に入口３に通ずる一次側流路５と、出口３に通ずる二次側流路６とを設けている。
【００１０】
弁箱２内の中央には、一次側流路５と二次側流路６を上下に区画した隔壁７を設け、該隔壁７の中央に両流路５、６に連通する弁口８を開設している。
弁口８の一次側の開口端には、二次側に向かうに従って徐々に縮径して成るテーパー穴状の弁座９を設け、該弁座９との着座部10ａをテーパー（円錐台）状に形成したプラグ形の弁体10を弁座９に着離自在に設けている。
【００１１】
弁体10には、着座部10ａの弁座９との着座位置（図２参照）から所定距離Ｌを離隔した位置Ｙ（図３参照）までの間は、弁口内壁8aを摺接しながら往復動自在に弁口８に挿入されて閉弁状態を保持し、離隔位置Ｙを超えると弁口８より離脱して開弁する略円板状の滑り弁部10ｂを設けている。
滑り弁部10ｂは、その高さｔが距離Ｌに相当し、この距離Ｌは、弁体10（着座部10ａ）がチャタリングを生じ得ない程度に弁座９から離隔した弁体10の移動距離に対応する様に設定している。
この様に、滑り弁部10ｂを設けることにより、チャタリングが生じやすい（従来では閉弁間近の低開度に相当する）弁体10の移動距離（リフト）までは、滑り弁部10ｂが弁口８に挿入状態でこれを閉塞して閉弁状態を保持し、弁体10がチャタリングを生じ得ない弁座９との離間距離を超えた（図３参照）時に、滑り弁部10ｂが弁口８より離脱して開弁するので、チャタリングは生じない。
【００１２】
滑り弁部10ｂには、弁体10の開弁中（図３、４参照）に弁口８に連通する様に、滑り弁部10ｂの周方向に複数連設した流体挿通口11を介して常に弁口内壁8aを摺接して弁体10を案内する支持リング10ｃを設けている。
本実施例で示す様に、弁体10には、その着座部10ａ（下端部）側の端部に略円板状の滑り弁部10ｂを設け、該滑り弁部10ｂに下方連続して流体挿通口11及び支持リング10ｃを設けるのが、支持リング10ｃによって弁体10が開弁しても振動等により横触れすることがなく、常に弁体10の開閉弁動作を安定させるので、より望ましいが、弁体10には、滑り弁部10ｂを設けるだけでチャタリングを防止できるので、流体挿通口11及び支持リング10ｃを必ずしも設けなくても良い。
【００１３】
弁箱２の下部には、ダイヤフラム12で内部空間を上下に区画されたダイヤフラムケーシング13を設けている。
ダイヤフラムケーシング13の上部中心には、上端部を二次側流路６から弁口８を通して弁体10の着座部10ａ側の端部に連結した弁棒14を挿通し、ダイヤフラム12の上面に設置したダイヤフラム押さえ15を介して弁棒14の下端部をダイヤフラム12に当接し、該ダイヤフラム12と弁体10とを弁棒14を介して連繋している。
ダイヤフラムケーシング13内のダイヤフラム12で区画された上方空間は、上部に貫設した連通孔16で二次側流路６と連通し、ダイヤフラム12の下方空間を圧力室17と成している。
【００１４】
弁箱２の上部は、その中央に一次側流路５との連通口が開設され、該連通口を介して弁箱２上端に設置したパイロット弁箱18の下端口と一次側流路５とを連通し、かかる下端口に装着したリング状のバネ受け19と、弁体10上部に形成したバネ座10ｄとの間に弁バネ20を圧縮介装し、これにより弁体10を閉弁方向へ付勢している。
【００１５】
パイロット弁箱18は、その中央にパイロット圧力室21を設け、該パイロット圧力室21と、下端口を介して連通する一次側流路５とを、パイロット弁バネ22にて閉弁方向に付勢したパイロット弁23で以て連通又は遮断する様に設けている。
パイロット圧力室21は、圧力室17に導管24を介して連通し、該導管24の分岐導管24ａを二次側流路６に設けたオリフィス25に連結してパイロット圧力室21を二次側流路６に連通している。
【００１６】
パイロット弁23の弁棒23ａは、パイロット圧力室21の上部に区画形成した空間26に摺動自在に突出しており、かかる空間26は、パイロットダイヤフラム27を介してパイロット弁箱18上に被冠したバネカバー28の内部空間と区画され、パイロットダイヤフラム室26と成している。
バネカバー28の内部空間には、バネカバー28の上部より突入した調節ネジ29で弾性力を調整自在と成した調節バネ30をパイロットダイヤフラム27上面に付勢し、該パイロットダイヤフラム27を介して弁棒23ａの突出端部が調節バネ30の弾性力を受承する様に成している。
又、パイロットダイヤフラム室26は、出口４に連結した検出管31を介して二次側流路６と連通し、二次側圧力によりパイロットダイヤフラム27が変位する様に成している。
【００１７】
上記の様に構成された減圧弁１にあっては、調節バネ30の無負荷状態で、弁体10は弁バネ20、パイロット弁23はパイロット弁バネ22により閉止している。
高圧流体が一次側流路５へ流入すると、弁体10及びパイロット弁23背部に一次側圧力が加わる。
かかる状態において、調節ネジ29により調節バネ30を圧縮し、その弾性力によりパイロットダイヤフラム27を介して弁棒23ａを押圧し、パイロット弁23を開弁させる。
これにより、一次側流路５の圧力流体は、パイロット圧力室21から導管24を経て圧力室17に流入すると共に、分岐導管24ａ、オリフィス25を経て二次側流路６へ流入する。
【００１８】
そして、パイロット圧力室21を通る流量がオリフィス25を通る流量より多くなると、圧力室17の操作圧が上昇し、弁体10背部の圧力及び弁バネ20の弾性力に打ち勝って弁体10を押し開き、一次側流路５から二次側流路６へ圧力流体が流れ始める。
又、二次側流路６へ流入した圧力流体は、検出管31よりパイロットダイヤフラム室26へ導かれる。
【００１９】
パイロットダイヤフラム27は二次側圧力を受け、調節バネ30と釣り合い、二次側圧力の増減によりパイロットダイヤフラム27に作用する圧力と、調節バネ30が働き合ってパイロット弁23による開度を加減し、圧力室17への流入量を変化させて弁体10による開度を制御し、二次側を適正な圧力にする。
二次側への負荷が無くなると、パイロットダイヤフラム室26の圧力が上昇し、パイロット弁23が閉弁し、これにより圧力室17の操作圧がオリフィス25を通って二次側流路６へ逃げ、弁体10は弁バネ20に押されて閉止する。
【００２０】
上記弁体の開閉弁動作について詳述すると、閉弁状態では、弁体10の着座部10ａが弁座９に着座することで、図２に示す様に弁口８を閉塞している。
この時、弁体10下部に設けた滑り弁部10ｂ、流体挿通口11及び支持リング10ｃは、弁口８内に挿入状態にあり、流体挿通口11は弁口内壁8aにて閉塞されている。
そして、図２に示す着座部10ａの弁座９との着座位置から弁体10が開弁方向へ移動しても、その着座位置から距離Ｌを離隔した位置Ｙまでの間は、着座部10ａが弁座９より離脱中にも拘らず、滑り弁部10ｂが弁口内壁8aを摺接して弁口８を閉塞しているので、閉弁状態が保持されている。
【００２１】
開弁方向へ移動する弁体10が離隔位置Ｙを超えると、滑り弁部10ｂは弁口８から離脱し、流体挿通口11が弁口８の一次側開口部より一次側流路５内に出現することで開弁し、一次側流路５は流体挿通口11及び弁口８を通じて二次側流路６に連通する。
図３に示す開弁初期時又は閉弁間際では、弁体10の着座部10ａと弁座９との間隔を、従来に比し確実に広げられ、弁体10の着座部10ａが弁座９に激しく接触を繰り返せるほどに弁座９との距離が近接していないので、チャタリングを生ずることがない。
又、図２〜４に示す様に、弁体10の開閉弁動作中、支持リング10ｃは常に弁口８内に存して、その内壁8aに摺接して弁体10を案内しているので、弁体10が開弁しても振動等により横触れすることがなく、常に弁体10の開閉弁動作が安定的に支持される。
【００２２】
尚、本実施例では、本発明に係る弁体10を減圧弁１に備えたものを示したが、その他にリリーフ弁、逆止弁等のバルブにおける弁体としても適用可能である。
又、本実施例では、弁座９をテーパー穴状に形成し、弁体10の着座部10ａを弁座９に対応する様にテーパー状に形成したものを示したが、かかる方式に限定されることなく、例えば弁口８の一方の開口端に平坦な弁座９を設け、該弁座９に平行な平坦状の着座部10ａを弁体10に設けたものであっても良い。
【符号の説明】
【００２３】
５    一次側流路
６    二次側流路
８    弁口
8a    弁口内壁
９    弁座
10    弁体
10ｂ  滑り弁部
10ｃ  支持リング
11    流体挿通口
Ｌ    距離
Ｙ    離隔位置
【図１】
2010169132.tif 000003
【図２】
2010169132.tif 000004
【図３】
2010169132.tif 000005
【図４】
2010169132.tif 000006